(57)【要約】【課題】ランプコネクタ内部と駆動回路基板とを電気的に接続する接続線の固定長さが十分あるＬＥＤランプに用いるランプコネクタ構造を提供する。【解決手段】ＬＥＤランプに用いるランプコネクタ構造は、ランプカバー２１と、ランプカバー２１の左右両端に配置された２つのランプコネクタと、ランプカバー２１内部に配置された少なくとも１つの帯状ＬＥＤランプ２２と、ランプコネクタ内部に配置して帯状ＬＥＤランプ２２の何れか１つの側部と電気的に接続された少なくとも１つの駆動回路基板２３１とを備える。ランプコネクタは端蓋２３である。端蓋２３は、外方に延在された２つの電極端子２３４を有する。駆動回路基板２３１には、少なくとも２本の接続線２４が延設され、駆動回路基板２３１が電極端子２３４の内側に挿入されて電極端子２３４と接触導通されて通電される。【選択図】図４
0003179655.tif 000002
【実用新案登録請求の範囲】
【請求項１】
ランプカバーと、前記ランプカバーの左右両端に配置された２つのランプコネクタと、前記ランプカバー内部に配置された少なくとも１つの帯状ＬＥＤランプと、前記ランプコネクタ内部に配置して帯状ＬＥＤランプの何れか１つの側部と電気的に接続された少なくとも１つの駆動回路基板と、を備えたＬＥＤランプに用いるランプコネクタ構造であって、
前記ランプコネクタは端蓋であり、前記端蓋は、外方に延在された２つの電極端子を有し、前記駆動回路基板には、少なくとも２本の接続線が延設され、前記駆動回路基板が前記電極端子の内側に挿入されて前記電極端子と接触導通されて通電されることを特徴とするＬＥＤランプに用いるランプコネクタ構造。
【請求項２】
前記端蓋の前記ランプカバー側の一方の端部には、前記ランプカバーの端部を覆うことができるように開口が設けられ、
前記端蓋の他方の端部には、前記電極端子のそれぞれを外方に延在させるために用いる２つの開口部が設けられることを特徴とする請求項１に記載のＬＥＤランプに用いるランプコネクタ構造。
【請求項３】
前記電極端子の内側が中空構造となっており、前記接続線が前記駆動回路基板から前記開口部まで延びて前記電極端子の内側に挿入され、前記電極端子と接触導通されて通電されることを特徴とする請求項２に記載のＬＥＤランプに用いるランプコネクタ構造。
【請求項４】
前記駆動回路基板と電気的に接続されていない前記帯状ＬＥＤランプの何れか１つの側部の前記ランプコネクタは、前記帯状ＬＥＤランプを通電させないことを特徴とする請求項１に記載のＬＥＤランプに用いるランプコネクタ構造。
【請求項５】
前記帯状ＬＥＤランプは、複数の発光ダイオードを有することを特徴とする請求項１に記載のＬＥＤランプに用いるランプコネクタ構造。
【請求項６】
前記ランプカバーは長尺状であることを特徴とする請求項１に記載のＬＥＤランプに用いるランプコネクタ構造。
【請求項７】
ランプカバーと、前記ランプカバーの左右両端に配置された２つのランプコネクタと、前記ランプカバー内部に配置された少なくとも１つの帯状ＬＥＤランプと、前記ランプコネクタ内部に配置して前記帯状ＬＥＤランプの何れか１つの側部と電気的に接続された少なくとも１つの駆動回路基板と、を備えたＬＥＤランプに用いるランプコネクタ構造であって、
前記ランプコネクタは端蓋であり、前記端蓋は、外方に延在された２つの電極端子を有し、前記駆動回路基板上には、固定座が設けられ、前記固定座と、前記電極端子の内側とが２本の接続線により電気的に接続され、前記電極端子を介して前記固定座が通電され、前記駆動回路基板は、前記固定座により通電されることを特徴とするＬＥＤランプに用いるランプコネクタ構造。
【請求項８】
前記端蓋の前記ランプカバー側の一方の端部には、前記ランプカバーの端部を覆うことができるように開口が設けられ、
前記端蓋の他方の端部には、前記電極端子を外方に延在させるために用いる２つの開口部が設けられ、
前記固定座の前記端蓋側の端部には、２つの開口が設けられることを特徴とする請求項７に記載のＬＥＤランプに用いるランプコネクタ構造。
【請求項９】
前記電極端子の内側が中空構造となっているため、前記接続線が前記固定座の前記開口を介して前記端蓋に向けて前記開口部まで延びて前記電極端子の内側に挿入され、前記電極端子と接触導通されて通電されることを特徴とする請求項８に記載のＬＥＤランプに用いるランプコネクタ構造。
【請求項１０】
前記電極端子の内側が中空構造となっているため、前記接続線が前記電極端子の内側から前記固定座の２つの開口に向けて前記固定座の前記開口内側に挿入され、前記固定座と接触導通されて通電されることを特徴とする請求項８に記載のＬＥＤランプに用いるランプコネクタ構造。
【請求項１１】
前記駆動回路基板と電気的に接続されていない前記帯状ＬＥＤランプの何れか１つの側部の前記ランプコネクタは、前記帯状ＬＥＤランプを通電させないことを特徴とする請求項７に記載のＬＥＤランプに用いるランプコネクタ構造。
【請求項１２】
前記帯状ＬＥＤランプは、複数の発光ダイオードを有することを特徴とする請求項７に記載のＬＥＤランプに用いるランプコネクタ構造。
【請求項１３】
前記ランプカバーは長尺状であることを特徴とする請求項７に記載のＬＥＤランプに用いるランプコネクタ構造。
【請求項１４】
ランプカバーと、前記ランプカバーの左右両端に配置された２つのランプコネクタと、前記ランプカバー内部に配置された少なくとも１つの帯状ＬＥＤランプと、前記ランプコネクタ内部に配置して前記帯状ＬＥＤランプの何れか１つの側部と電気的に接続された少なくとも１つの駆動回路基板と、を備えたＬＥＤランプに用いるランプコネクタ構造であって、
前記ランプコネクタは端蓋であり、２本の接続線が前記端蓋と一体成形され、前記駆動回路基板上に固定座が設けられているため、前記固定座に前記接続線が電気的に接続され、前記接続線を介して前記固定座が通電され、前記駆動回路基板は、前記固定座により通電されることを特徴とするＬＥＤランプに用いるランプコネクタ構造。
【請求項１５】
前記端蓋の前記ランプカバー側の端部には、前記ランプカバーの端部を覆うことができるように開口が設けられ、
前記固定座の前記端蓋側の端部には、２つの開口が設けられることを特徴とする請求項１４に記載のＬＥＤランプに用いるランプコネクタ構造。
【請求項１６】
前記接続線の一方の端部は、前記端蓋の他方の端部から外方に延び、
前記接続線の他方の端部が前記固定座の前記開口に向けて延びて前記固定座の前記開口の内側に挿入され、前記固定座と接触導通されて通電されることを特徴とする請求項１５に記載のＬＥＤランプに用いるランプコネクタ構造。
【請求項１７】
前記駆動回路基板と電気的に接続されていない前記帯状ＬＥＤランプの何れか１つの側部の前記ランプコネクタは、前記帯状ＬＥＤランプを通電させないことを特徴とする請求項１４に記載のＬＥＤランプに用いるランプコネクタ構造。
【請求項１８】
前記帯状ＬＥＤランプは、複数の発光ダイオードを有することを特徴とする請求項１４に記載のＬＥＤランプに用いるランプコネクタ構造。
【請求項１９】
前記ランプカバーは長尺状であることを特徴とする請求項１４に記載のＬＥＤランプに用いるランプコネクタ構造。
【考案の詳細な説明】
【技術分野】
【０００１】
本考案は、ＬＥＤランプに用いるランプコネクタ構造に関し、特に、ランプコネクタ内部と駆動回路基板とを電気的に接続する接続線の固定長さが十分あるＬＥＤランプに用いるランプコネクタ構造に関する。
【背景技術】
【０００２】
ＬＥＤ（発光ダイオード）は、低消費電力、長寿命、小型、高速反応などの長所を有するため、様々な照明分野において広く使用されている。メーカーの一部は、蛍光灯を代替するＬＥＤランプをすでに開発している。図１及び図２に示すように、従来のＬＥＤランプ１は、長尺状ランプカバー１１中に左右それぞれに配置された２本の帯状ＬＥＤランプ１２を有する。長尺状ランプカバー１１の左右両側には、ランプコネクタがそれぞれ配置され、このランプコネクタは端蓋１３であり、この端蓋１３の内側には、帯状ＬＥＤランプ１２と接続された駆動回路基板１３１が配置され、帯状ＬＥＤランプ１２を発光させる。
【０００３】
２つの電極端子１３２，１３４は、端蓋１３の内側から端蓋１３の外側にかけて貫設され、電極端子１３２，１３４の導電端子１３３，１３５が端蓋１３の内側に位置するため、少なくとも２本の接続線１４の一方の端部が駆動回路基板１３１に半田付けされる一方、接続線１４の他方の端部が端蓋１３の内側の導電端子１３３，１３５に半田付けされ、電極端子１３２，１３４と駆動回路基板１３１とが接触導通されて通電される。
【０００４】
しかし、上述の配線の場合、接続線１４の他方の端部を端蓋１３内側の導電端子１３３，１３５へ半田付けしなければ組み立てることができないため、端蓋１３と長尺状ランプカバー１１とが分離された状態のときに半田付けを行う必要がある。しかし、端蓋１３の面積が小さいため、接続線１４の他方の端部を端蓋１３内側の導電端子１３３，１３５へ半田付けする際、半田付けをかなり慎重に行わなければ確実に導電させることができない。
【０００５】
しかし、半田付けを行う前には、組み立てがまだ完了していないため、導電端子１３３，１３５と駆動回路基板１３１との間の接続線１４を標準的な長さに維持することができず（接続線１４に十分な長さが無い場合、作業員は接続線１４を端蓋１３内側まで挿入しなければ半田付けを行うことができない）、半田付け作業を行って組み立てた後、図１及び図２に示すように、内部の接続線１４が長くなりすぎて曲がってしまったり、２本の接続線１４が絡まったり結び目ができたりする上、接続線１４が短すぎる場合、電気的に接続することができない上、作業員も端蓋１３の内側まで挿入して半田付けを行うことができなくなる虞がある。
【０００６】
そのため、接続線１４の長さはメーカーにとって大きな問題であり、上述の問題以外に、接続線１４が長すぎる場合、配線に不都合が生じたり組み立てが不便になったりする虞がある。
【０００７】
そのため、ランプコネクタの内部において、駆動回路基板と電気的に接続された接続線の固定長さを十分にすることにより、接続線と電極端子とを半田付けしなくとも電気的な導通を達成する技術が求められていた。
【考案の概要】
【考案が解決しようとする課題】
【０００８】
本考案の目的は、ランプコネクタ内部において、駆動回路基板と電気的に接続された接続線の固定長さを十分にするＬＥＤランプに用いるランプコネクタ構造を提供することにある。
本考案のもう一つの目的は、接続線と電極端子とを半田付けしなくとも、接続線と電極端子とを電気的に導通するＬＥＤランプに用いるランプコネクタ構造を提供することにある。
【課題を解決するための手段】
【０００９】
上記課題を解決するために、ランプカバーと、前記ランプカバーの左右両端に配置された２つのランプコネクタと、前記ランプカバー内部に配置された少なくとも１つの帯状ＬＥＤランプと、前記ランプコネクタ内部に配置して帯状ＬＥＤランプの何れか１つの側部と電気的に接続された少なくとも１つの駆動回路基板と、を備えたＬＥＤランプに用いるランプコネクタ構造であって、前記ランプコネクタは端蓋であり、前記端蓋は、外方に延在された２つの電極端子を有し、前記駆動回路基板には、少なくとも２本の接続線が延設され、前記駆動回路基板が前記電極端子の内側に挿入されて前記電極端子と接触導通されて通電されることを特徴とするＬＥＤランプに用いるランプコネクタ構造が提供される。
【００１０】
前記端蓋の前記ランプカバー側の一方の端部には、前記ランプカバーの端部を覆うことができるように開口が設けられ、前記端蓋の他方の端部には、前記電極端子のそれぞれを外方に延在させるために用いる２つの開口部が設けられることが好ましい。
【００１１】
前記電極端子の内側が中空構造となっており、前記接続線が前記駆動回路基板から前記開口部まで延びて前記電極端子の内側に挿入され、前記電極端子と接触導通されて通電されることが好ましい。
【００１２】
前記駆動回路基板と電気的に接続されていない前記帯状ＬＥＤランプの何れか１つの側部の前記ランプコネクタは、前記帯状ＬＥＤランプを通電させないことが好ましい。
【００１３】
前記帯状ＬＥＤランプは、複数の発光ダイオードを有することが好ましい。
【００１４】
前記ランプカバーは長尺状であることが好ましい。
【００１５】
上記課題を解決するために、ランプカバーと、前記ランプカバーの左右両端に配置された２つのランプコネクタと、前記ランプカバー内部に配置された少なくとも１つの帯状ＬＥＤランプと、前記ランプコネクタ内部に配置して前記帯状ＬＥＤランプの何れか１つの側部と電気的に接続された少なくとも１つの駆動回路基板と、を備えたＬＥＤランプに用いるランプコネクタ構造であって、前記ランプコネクタは端蓋であり、前記端蓋は、外方に延在された２つの電極端子を有し、前記駆動回路基板上には、固定座が設けられ、前記固定座と、前記電極端子の内側とが２本の接続線により電気的に接続され、前記電極端子を介して前記固定座が通電され、前記駆動回路基板は、前記固定座により通電されることを特徴とするＬＥＤランプに用いるランプコネクタ構造が提供される。
【００１６】
前記端蓋の前記ランプカバー側の一方の端部には、前記ランプカバーの端部を覆うことができるように開口が設けられ、前記端蓋の他方の端部には、前記電極端子を外方に延在させるために用いる２つの開口部が設けられ、前記固定座の前記端蓋側の端部には、２つの開口が設けられることが好ましい。
【００１７】
前記電極端子の内側が中空構造となっているため、前記接続線が前記固定座の前記開口を介して前記端蓋に向けて前記開口部まで延びて前記電極端子の内側に挿入され、前記電極端子と接触導通されて通電されることが好ましい。
【００１８】
前記電極端子の内側が中空構造となっているため、前記接続線が前記電極端子の内側から前記固定座の２つの開口に向けて前記固定座の前記開口内側に挿入され、前記固定座と接触導通されて通電されることが好ましい。
【００１９】
前記駆動回路基板と電気的に接続されていない前記帯状ＬＥＤランプの何れか１つの側部の前記ランプコネクタは、前記帯状ＬＥＤランプを通電させないことが好ましい。
【００２０】
前記帯状ＬＥＤランプは、複数の発光ダイオードを有することが好ましい。
【００２１】
前記ランプカバーは長尺状であることが好ましい。
【００２２】
上記課題を解決するために、ランプカバーと、前記ランプカバーの左右両端に配置された２つのランプコネクタと、前記ランプカバー内部に配置された少なくとも１つの帯状ＬＥＤランプと、前記ランプコネクタ内部に配置して前記帯状ＬＥＤランプの何れか１つの側部と電気的に接続された少なくとも１つの駆動回路基板と、を備えたＬＥＤランプに用いるランプコネクタ構造であって、前記ランプコネクタは端蓋であり、２本の接続線が前記端蓋と一体成形され、前記駆動回路基板上に固定座が設けられているため、前記固定座に前記接続線が電気的に接続され、前記接続線を介して前記固定座が通電され、前記駆動回路基板は、前記固定座により通電されることを特徴とするＬＥＤランプに用いるランプコネクタ構造が提供される。
【００２３】
前記端蓋の前記ランプカバー側の端部には、前記ランプカバーの端部を覆うことができるように開口が設けられ、前記固定座の前記端蓋側の端部には、２つの開口が設けられることが好ましい。
【００２４】
前記接続線の一方の端部は、前記端蓋の他方の端部から外方に延び、前記接続線の他方の端部が前記固定座の前記開口に向けて延びて前記固定座の前記開口の内側に挿入され、前記固定座と接触導通されて通電されることが好ましい。
【００２５】
前記駆動回路基板と電気的に接続されていない前記帯状ＬＥＤランプの何れか１つの側部の前記ランプコネクタは、前記帯状ＬＥＤランプを通電させないことが好ましい。
【００２６】
前記帯状ＬＥＤランプは、複数の発光ダイオードを有することが好ましい。
【００２７】
前記ランプカバーは長尺状であることが好ましい。
【図面の簡単な説明】
【００２８】
【図１】従来のＬＥＤランプに用いるランプコネクタ構造を示す透視斜視図である。
【図２】従来のＬＥＤランプに用いるランプコネクタ構造を示す平面断面図である。
【図３】本考案の第１実施形態に係るＬＥＤランプに用いるランプコネクタ構造を示す断面平面図である。
【図４】本考案の第１実施形態に係るＬＥＤランプに用いるランプコネクタ構造を示す透視斜視図である。
【図５】本考案の第２実施形態及び第３実施形態に係るＬＥＤランプに用いるランプコネクタ構造を示す透視斜視図である。
【図６Ａ】本考案の第２実施形態に係るＬＥＤランプに用いるランプコネクタ構造を示す平面断面図である。
【図６Ｂ】本考案の第２実施形態に係るＬＥＤランプに用いるランプコネクタ構造を示す平面断面図である。
【図７Ａ】本考案の第３実施形態に係るＬＥＤランプに用いるランプコネクタ構造を示す平面断面図である。
【図７Ｂ】本考案の第３実施形態に係るＬＥＤランプに用いるランプコネクタ構造を示す平面断面図である。
【図８Ａ】本考案の第４実施形態に係るＬＥＤランプに用いるランプコネクタ構造を示す平面断面図である。
【図８Ｂ】本考案の第４実施形態に係るＬＥＤランプに用いるランプコネクタ構造を示す平面断面図である。
【考案を実施するための形態】
【００２９】
（第１実施形態）
図３を参照する。図３に示すように、本考案の第１実施形態に係るＬＥＤランプに用いるランプコネクタ構造のＬＥＤランプ２は、ランプカバー２１と、ランプカバー２１の左右両端に配置された２つのランプコネクタ（本実施形態のランプコネクタは端蓋２３である）と、ランプカバー２１内部に配置された少なくとも１つの帯状ＬＥＤランプ２２（帯状ＬＥＤランプ２２は、複数の発光ダイオード２２１を有する）と、ランプコネクタ内部に配置して帯状ＬＥＤランプ２２の何れか１つの側部と電気的に接続された駆動回路基板２３１と、を有する。
【００３０】
図３及び図４を参照する。図３及び図４に示すように、ランプコネクタは端蓋２３である。この端蓋２３は、ランプカバー２１側の端部に、ランプカバー２１の端部を覆うことができるように開口２３２が設けられている。端蓋２３の他方の端部には、２つの電極端子２３４，２３５を外方に延在させるために用いる２つの開口部２３３が設けられ、駆動回路基板２３１は、少なくとも２本の接続線２４の端部が駆動回路基板２３１に半田付けされ、電極端子２３４，２３５の内側が中空構造となっているため、ランプカバー２１の端部が端蓋２３により覆われると、接続線２４の他方の端部が２つの開口部２３３まで延びて電極端子２３４，２３５の内側に挿入され、電極端子２３４，２３５と接触導通され、電極端子２３４，２３５により駆動回路基板２３１及び帯状ＬＥＤランプ２２が通電される。
【００３１】
本実施形態では端部が１つだけの態様であるが、ランプカバー内部にそれぞれ分離した２つのＬＥＤランプを有するにせよ、１つのＬＥＤランプだけを有するにせよ、本考案の技術内容を適用することができる。
【００３２】
そのため、ランプカバー内部にそれぞれ分離された２つのＬＥＤランプ（図示せず）を有し、それぞれ分離された２つのＬＥＤランプの左右両側に設けられた端蓋内に駆動回路基板を設置する場合、端蓋の電極端子を介して駆動回路基板及び帯状ＬＥＤランプに通電し、駆動回路基板によりＬＥＤランプを駆動させる。
【００３３】
しかし、ランプカバー内部にＬＥＤランプ（図示せず）が１つしかない場合、一方の側部の端蓋の電極端子により、駆動回路基板及び帯状ＬＥＤランプが通電し、駆動回路基板がＬＥＤランプを駆動させることができるが、他方の側部の端蓋には駆動回路基板が接続されていないため、駆動回路基板には通電しない。
【００３４】
（第２実施形態）
本考案は、上述した第１実施形態以外に、他の構造を利用して同様の目的を達成してもよい（図５参照）。端蓋２３には、ランプカバー２１側の端部に開口２３２が設けられ、ランプカバー２１の端部を覆い、端蓋２３の他方の端部には、２つの開口部２３３が設けられ、端蓋２３の２つの開口部２３３には、２つの電極端子２３４，２３５が外方に延びて貫設され、駆動回路基板２３１上には、固定座２３６が取り付けられる。固定座２３６と、電極端子２３４，２３５の内側とが２本の接続線２４により電気的に接続されるため、駆動回路基板２３１は、固定座２３６を介して電極端子２３４，２３５と通電する。
【００３５】
固定座２３６と接続線２４との接続方式には少なくとも２種類あり、２種類のうちの１種類は、図６Ａ及び図６Ｂに示すように、電極端子２３４，２３５の内側が中空構造となっており、接続線２４が固定座２３６の２つの開口２３６１から延びているため、ランプカバー２１の端部が端蓋２３により覆われると、接続線２４が２つの開口部２３３まで延びて電極端子２３４，２３５の内側に挿入されて電極端子２３４，２３５と接触導通されて通電される。
【００３６】
（第３実施形態）
図７Ａ及び図７Ｂを参照する。図７Ａ及び図７Ｂに示すように、本考案の第３実施形態に係るＬＥＤランプに用いるランプコネクタ構造の接続方式は、電極端子２３４，２３５の内側が中空構造となっており、接続線２４が電極端子２３４，２３５の内側から固定座２３６側の２つの開口２３６１へ向けて延びているため、ランプカバー２１の端部が端蓋２３により覆われると、接続線２４が固定座２３６の２つの開口２３６１内側へ挿入されて固定座２３６と接触導通されて通電する。
【００３７】
また、第１実施形態と同様に、ランプカバー内部に互いに分離された２つのＬＥＤランプ（図示せず）が設けられている場合、互いに分離された２つのＬＥＤランプの左右両側の端蓋内に駆動回路基板を設け、端蓋の電極端子を介して駆動回路基板及び帯状ＬＥＤランプを通電し、駆動回路基板によりＬＥＤランプを駆動させる。
【００３８】
ランプカバー内部にＬＥＤランプが１つしかない場合（図示せず）、側部の端蓋が有する電極端子により駆動回路基板及び帯状ＬＥＤランプを通電させ、駆動回路基板によりＬＥＤランプを駆動させるが、他方の側部の端蓋には駆動回路基板が接続されていないため、駆動回路基板を通電させる必要がない。
【００３９】
（第４実施形態）
本考案の第４実施形態に係るＬＥＤランプに用いるランプコネクタ構造は、実際に製造する際、工程が１つ多い。接続線２４を電極端子２３４，２３５の内側へ設置するため、もう一つの実施方式では、図８Ａ及び図８Ｂに示すように、接続線２４を端蓋２３上へ直接一体成形し、接続線２４の一方の端部が端蓋２３の外側から延び、接続線２４の他方の端部が固定座２３６の２つの開口２３６１に向けて延びているため、ランプカバー２１の端部が端蓋２３により覆われると、接続線２４が２つの開口２３６１の内側に設けられた固定座２３６に挿入され、固定座２３６と接触導通されて通電される。
【００４０】
上述したことから分かるように、本考案のＬＥＤランプに用いるランプコネクタ構造は、従来技術と比べて以下（１）及び（２）の長所を有する。
（１）ランプコネクタ内部において、駆動回路基板と電気的に接続された接続線の固定長さが十分であるため、接続線と電極端子とを半田付けしなくとも電気的な導通を得ることができる。
（２）接続線の長さを固定し、組み立てが完成すると、接続線と電極端子とが接触導通されるため、接続線が長すぎるために起きる問題を完全に解決することができる。
【００４１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４２】
１  ＬＥＤランプ
２  ＬＥＤランプ
１１  長尺状ランプカバー
１２  帯状ＬＥＤランプ
１３  端蓋
１４  接続線
２１  ランプカバー
２２  帯状ＬＥＤランプ
２３  端蓋
２４  接続線
１３１  駆動回路基板
１３２  電極端子
１３３  導電端子
１３４  電極端子
１３５  導電端子
２２１  発光ダイオード
２３１  駆動回路基板
２３２  開口
２３３  開口部
２３４  電極端子
２３５  電極端子
２３６  固定座
２３６１  開口
【図１】
0003179655.tif 000003
【図２】
0003179655.tif 000004
【図３】
0003179655.tif 000005
【図４】
0003179655.tif 000006
【図５】
0003179655.tif 000007
【図６Ａ】
0003179655.tif 000008
【図６Ｂ】
0003179655.tif 000009
【図７Ａ】
0003179655.tif 000010
【図７Ｂ】
0003179655.tif 000011
【図８Ａ】
0003179655.tif 000012
【図８Ｂ】
0003179655.tif 000013